(57)【要約】      （修正有）【課題】電気コネクタとケーブルとの接続が簡単で、工程の便利性が向上され、有効にコストダウンできる電気接続装置を提供する。【解決手段】ディスプレーポート（Ｄｉｓｐｌａｙ  Ｐｏｒｔ）に適用される電気接続装置であって、電気コネクタと延伸板とを備える。前記延伸板の上面と底面には複数の伝送配線が設けられ、それら複数の伝送配線の先端に第一端があり、末端に第二端があり、前記電気コネクタの導電端子のピン部が伝送配線の第一端に溶接されることで、延伸板を前記電気コネクタの末端と電気的に接続させる。【選択図】図１
0003143915.tif 000002
【実用新案登録請求の範囲】
【請求項１】
ディスプレーポート（Ｄｉｓｐｌａｙ  Ｐｏｒｔ）に適用される電気接続装置であって、
絶縁ケイシングと前記絶縁ケイシングに設置される複数の導電端子とを備え、前記複数の導電端子の一端が前記絶縁ケイシングの末端から露出するピン部を形成する電気コネクタと、
複数の伝送配線が設けられ、それら複数の伝送配線の先端に第一端があり、末端に第二端があり、前記電気コネクタの導電端子のピン部が伝送配線の第一端に溶接されることで、前記電気コネクタの末端と電気的に接続される延伸板と、
を備えることを特徴とする電気接続装置。
【請求項２】
前記複数の伝送配線には電子素子が電気的に接続され、前記電子素子は前記複数の伝送配線の第一端と第二端の間に電気的に接続されることを特徴とする請求項１に記載の電気接続装置。
【請求項３】
前記電子素子は、抵抗、キャパシタ、インダクタンス、ＩＣのいずれかであることを特徴とする請求項２に記載の電気接続装置。
【請求項４】
前記電気コネクタの絶縁ケイシングの外には遮蔽ケイシングが覆われることを特徴とする請求項１に記載の電気接続装置。
【請求項５】
前記複数の伝送配線は、前記延伸板の上面と底面に配置されることを特徴とする請求項１に記載の電気接続装置。
【請求項６】
前記電気接続装置には更にケーブルを備え、前記ケーブルは複数の芯線を備え、それらの芯線の一端が前記延伸板の伝送配線の第二端に溶接することで、前記ケーブルが前記延伸板を介して前記電気コネクタと電気的に接続されることを特徴とする請求項１に記載の電気接続装置。
【考案の詳細な説明】
【技術分野】
【０００１】
本考案は、電気接続装置に関し、特に、ディスプレーポート（Ｄｉｓｐｌａｙ  Ｐｏｒｔ）に適用される電気接続装置に関する。
【背景技術】
【０００２】
従来、ディスプレーポート（Ｄｉｓｐｌａｙ  Ｐｏｒｔ）に適用される電気コネクタは、電子製品（例えば、ノートブックコンピュータ）の回路板やケーブルの一端に設置されて、互いに差し込んで電気的に接続されることにより、信号を伝送する。例えば、中華民国特許Ｍ３２７１００号（公告日２００８年２月１１日）には、「保護回路付けの画像表示接続ポート」が掲示される。
【０００３】
従来のケーブルの一端に設置される電気コネクタは、ともに絶縁ケイシングと、前記絶縁ケイシングに設置される複数の導電端子とが備える。それらの導電端子をケーブルに対応する複数の芯線と溶接させることにより、電気コネクタとケーブルとを電気的に接続させる。しかし、ケーブルの複数の芯線を、複数の導電端子に溶接する際に、各芯線と各導電端子とを正確に定位することが必要で、配線することが難しくなる。また、手間や時間が掛かり、製造には不便である。
【０００４】
本考案者は、前記欠点を解消するため、慎重に研究し、また、学理を活用して、有効に前記欠点を解消でき、設計が合理である本考案を提案する。
【考案の開示】
【考案が解決しようとする課題】
【０００５】
本考案の主な目的は、電気コネクタとケーブルとの接続が便利で、有効に工程の便利性を向上させ、コストダウンできる電気接続装置を提供する。
【課題を解決するための手段】
【０００６】
本考案は、前記の目的を達成するため、ディスプレーポート（Ｄｉｓｐｌａｙ  Ｐｏｒｔ）に適用される電気接続装置であって、電気コネクタと延伸板とを備える。前記電気コネクタは、絶縁ケイシングと前記絶縁ケイシングに設置される複数の導電端子とを備え、前記複数の導電端子の一端が前記絶縁ケイシングの末端から露出するピン部を形成する。前記延伸板には複数の伝送配線が設けられ、それら複数の伝送配線の先端に第一端があり、末端に第二端がある。前記電気コネクタの導電端子のピン部が伝送配線の第一端に溶接されることで、延伸板を前記電気コネクタの末端と電気的に接続させる。
【０００７】
本考案によれば、次の効果が得られる。即ち、本考案によると、電気コネクタの末端は延伸板と電気的に接続され、また、ケーブルの複数の芯線が前記延伸板に溶接して接続されることができ、それらの芯線と延伸板との位置合わせが容易で、電気コネクタとケーブルとの接続が簡単になり、また、時間が掛からなく有効に工程の便利性が向上されて、コストダウンできる。
【０００８】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００９】
図１乃至図３を参照しながら、本考案は、電気接続装置を提供する。前記電気接続装置１は、ケーブルの一端に接続されるものであって、且つ電気コネクタ１１と延伸板１２を備える。前記電気コネクタ１１は、絶縁ケイシング１１１と、絶縁ケイシング１１１に設置される複数の導電端子１１２と、前記絶縁ケイシング１１１の外に覆われる遮蔽ケイシング１１３と、を備える。それらの導電端子１１２は、一端が前記絶縁ケイシング１１１の内部まで伸び、他端にはピン部１１２１を形成し、それらのピン部１１２１は前記絶縁ケイシング１１１の末端から露出して延伸板１２に電気的に接続される。この電気コネクタ１１は、ノートブックコンピュータや、ＴＶ、デスクトップＬＣＤ或いは移動式装置等の電子製品のディスプレーポート（Ｄｉｓｐｌａｙ  Ｐｏｒｔ）に適用される。電気コネクタ１１の構造は、従来技術とほぼ同じであるので、説明を省略する。
【００１０】
前記延伸板１２は回路板であって、前記電気コネクタ１１の末端に電気的に接続される。延伸板１２の上面と底面には、それぞれ複数の伝送配線１２１、１２２が設けられ、それらの伝送配線１２１、１２２は延伸板１２の先端と末端まで延びる。それらの伝送配線１２１、１２２は、先端に第一端１２１１、１２２１を有し、末端に第二端１２１２、１２２２を有する。伝送配線１２１、１２２には複数の電子素子１２３が溶接され、前記複数の電子素子１２３は伝送配線１２１、１２２の第一端１２１１、１２２１と第二端１２１２、１２２２との間に電気的に接続される。前記複数の電子素子１２３は抵抗やキャパシタ或いはインダクタンス等の電子素子である。電子素子１２３の代わりにＩＣを使用してもよい（例えば、図５のように）。また、電子素子１２３により伝送パワーを増やし、信号の伝送距離を長くすることもできる。
【００１１】
前記電気コネクタ１１の導電端子１１２のピン部１１２１を前記延伸板１２の上面と底面にある伝送配線１２１、１２２の第一端１２１１、１２２１に溶接させることで、延伸板１２が前記電気コネクタ１１の末端に電気的に接続される。このような構造により、本考案の電気接続装置が形成される。
【００１２】
本考案によると、前記電気コネクタ１１の末端は延伸板１２と電気的に接続され、また、前記延伸板１２の上面と底面にある伝送配線１２１、１２２の第二端１２１２、１２２２にケーブル２の複数の芯線２１（例えば、図４のように）の一端が溶接して接続されることができ、これによりケーブル２が延伸板１２を介して電気コネクタ１１と電気的に接続することができて、ケーブル２の芯線２１を導電端子１１２に溶接しなくて済む。また、ケーブル２の芯線２１と延伸板１２の伝送配線１２１、１２２の第二端１２１２、１２２２との位置合わせが容易になり、電気コネクタ１１とケーブル２との接続が簡単で、時間を掛からず、工程の便利性が向上されて、有効に、コストダウンできる。
【００１３】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１４】
【図１】本考案に係る電気接続装置の上面概念図。
【図２】本考案に係る電気接続装置の延伸板の上面概念図。
【図３】本考案に係る電気接続装置の延伸板の底面概念図。
【図４】本考案に係る電気接続装置にケーブルが接続される時の概念図。
【図５】本考案に係る電気接続装置の他の実施例の上面概念図。
【符号の説明】
【００１５】
１        電気接続装置
１１      電気コネクタ
１１１    絶縁ケイシング
１１２    導電端子
１１２１  ピン部
１１３    遮蔽ケイシング
１２      延伸板
１２１    伝送配線
１２１１  第一端
１２１２  第二端
１２２    伝送配線
１２２１  第一端
１２２２  第二端
１２３    電子素子
２        ケーブル
２１      芯線
【図１】
0003143915.tif 000003
【図２】
0003143915.tif 000004
【図３】
0003143915.tif 000005
【図４】
0003143915.tif 000006
【図５】
0003143915.tif 000007